(57)【特許請求の範囲】
【請求項１】
平板状の基板と、この基板上に立設された支柱とを備え、前記支柱が、前記基板に一体に突設された円錐状の固定柱と、この固定柱に、この固定柱の周方向に回動可能に被嵌された可動筒とによって構成され、かつ、前記可動筒の側壁には、その回動方向に所定幅を有する光透過領域が形成され、前記固定柱の側面には、前記可動筒の回動に伴って、前記光透過領域が重畳させられる表示領域が形成され、前記固定柱の上端には固定用ねじが突設され、前記可動筒の頂部には、前記固定用ねじが挿通される貫通孔が形成され、前記固定用ねじに螺着される固定キャップを前記可動筒へ圧着させることにより、前記可動筒を前記固定柱に固定するようになされていることを特徴とするコーン型支柱。
【請求項２】
前記光透過領域が、前記可動筒の周方向に複数形成されていることを特徴とする請求項１に記載のコーン型支柱。
【請求項３】
前記表示領域が、前記固定柱の周方向に複数形成され、かつ、これらの表示領域に、異なる表示がなされていることを特徴とする請求項１または請求項２に記載のコーン型支柱。
【発明の詳細な説明】
【技術分野】
【０００１】
本発明は、たとえば、カラーコーン（登録商標、以下同様）のように、道路や工事現場、あるいは、イベント会場等において、通路や資材置き場等の特別な領域を区画する際に用いられるコーン型支柱に関するものである。
【背景技術】
【０００２】
前述したカラーコーンは、設置用の基部に、円錐状の柱部を一体に突設した構成となっており、複数のカラーコーンを、区画すべき領域を取り囲むように配置することにより特定の領域を設定する。
【０００３】
また、前述した特定領域の解除は、前記カラーコーンを回収することによって行なわれる。
【０００４】
したがって、特定領域の設定やその解除を容易に行なうことができ、かつ、特別な工事を必要としないことから幅広く使用されている。
【０００５】
ところで、たとえば、前述した特定領域が複数あり、これらの領域の区別を認識させる必要が生じる場合がある。
【０００６】
このような、用途に適する従来技術が、たとえば、特許文献１において示されている。
【０００７】
この従来技術は、カラーコーンの表面にカバーを被せる構成とし、かつ、表面の模様や色が異なる複数のカバーを用意しておき、目的に応じて、前記カバーを選択的に用いることにより、複数の領域の差別化を行なうようにしている。
【先行技術文献】
【特許文献】
【０００８】
【特許文献１】特開２００３−４１５３５号公報
【発明の概要】
【発明が解決しようとする課題】
【０００９】
このような従来技術によって、複数の領域間の区別を容易に行なうことができるようになったが、なお、つぎのような改善すべき問題点が残されている。
【００１０】
すなわち、前述した複数のカバーの内、使用されないカバーを別途保管しておく必要があるため、その保管スペースを確保する必要があり、かつ、複数のカバーをその種類毎に保管する必要があるため、その整理が煩雑であるといった問題である。
【００１１】
本発明は、コーン型支柱自体に表示変更機能を付加することにより、前述した従来技術の問題点を解決しようとするものである。
【課題を解決するための手段】
【００１２】
本発明のコーン型支柱は、平板状の基板と、この基板上に立設された支柱とを備え、前記支柱が、前記基板に一体に突設された円錐状の固定柱と、この固定柱に、この固定柱の周方向に回動可能に被嵌された可動筒とによって構成され、かつ、前記可動筒の側壁には、その回動方向に所定幅を有する光透過領域が形成され、前記固定柱の側面には、前記可動筒の回動に伴って、前記光透過領域が重畳させられる表示領域が形成されていることを特徴としている。
【００１３】
このような構成とすることにより、前記固定柱に対して前記可動筒を回動させることにより、この可動筒に形成されている光透過領域と前記固定柱の表面との重畳位置を変化させる。
【００１４】
ここで、前記光透過領域を前記固定柱に形成されている表示領域に重畳させると、この表示領域が、前記光透過領域を介して視認され、前記表示領域の表示を視認させることができる。
【００１５】
また、前記光透過領域と前記表示領域との重畳を解除するように前記可動筒を回動させると、前記表示領域以外の領域を、前記光透過領域を介して視認させることができる。
【００１６】
したがって、前記可動筒を前記固定柱に対して相対回動させるといった簡便な操作によって、コーン型支柱の表示内容を切り替えることができる。
【００１７】
また、前記可動筒と前記固定柱は、一体に取り扱うことができ、したがって、その保管スペースが少なくてすむ。
【００１８】
そして、前記光透過領域を、前記可動筒の周方向に複数形成することにより、その表示方向を多方向にすることができ、その視認性を高めることができる。
【００１９】
また、前記表示領域を、前記固定柱の周方向に複数形成し、かつ、これらの表示領域を異なる表示とすることにより、複数の表示を切り替えて使用することができる。
【００２０】
さらに、前記固定柱と前記可動筒との間に、これらを任意の相対的な回動位置に固定する固定手段を設けることにより、設定された表示が不用意に変化してしまうことを防止することができる。
【図面の簡単な説明】
【００２１】
【図１】本発明の一実施形態の外観斜視図である。
【図２】本発明の一実施形態の分解斜視図である。
【図３】本発明の一実施形態の使用方法を示す外観斜視図である。
【図４】本発明の一実施形態の使用方法を示す外観斜視図である。
【発明を実施するための形態】
【００２２】
以下、本発明の一実施形態について、図１ないし図４を参照して説明する。
これらの図において符号１は、本実施形態におけるコーン型支柱を示し、このコーン型支柱１は、平板状の基板２と、この基板２上に立設された支柱３とを備え、前記支柱３が、前記基板２に一体に突設された円錐状の固定柱３ａと、この固定柱３ａに、この固定柱３ａの周方向に回動可能に被嵌された可動筒３ｂとによって構成され、かつ、前記可動筒３ｂの側壁には、その回動方向に所定幅を有する光透過領域Ｗが形成され、前記固定柱３ａの側面には、前記可動筒３ｂの回動に伴って、前記光透過領域Ｗが重畳させられる表示領域Ａが形成されていることを特徴としている。
【００２３】
本実施形態においては、前記光透過領域Ｗが、前記可動筒３ｂの側壁を切り欠いて開口させることによって形成されている。
【００２４】
そして、前記光透過領域Ｗは、前記可動筒３ｂの長さ方向に沿って長尺状に形成され、かつ、その幅が、前記可動筒３ｂの円周の１／１２（可動筒３ｂの中心線回りの角度としてみると、３０°となる）となされ、かつ、前記可動筒３ｂの周方向に９０°の間隔をおいて４カ所に設けられている。
【００２５】
また、前記表示領域Ａは、本実施形態においては、前記光透過領域Ｗとほぼ同一形状に形成され、図２に示すように、異なる表示がなされた三つの表示領域前Ａ１・Ａ２・Ａ３が、記固定柱３ａの周方向に沿って連続して形成されている。
【００２６】
かつ、これらの表示領域Ａ１・Ａ２・Ａ３は、前記固定柱３ａの周方向一方向においてその表示の並びが同じ順序となるように、前記固定柱３ａの全周にわたって形成されている。
【００２７】
ここで、前述したように、前記各表示領域Ａ１・Ａ２・Ａ３は、前記光透過領域Ｗとほぼ同一形状となされている。
【００２８】
したがって、前記各表示領域Ａ１・Ａ２・Ａ３の幅は、前記固定柱３ａの円周の１／１２となり、三つの表示領域Ａ１・Ａ２・Ａ３を合わせると、これらの、前記固定柱３ａの側面における周方向の占有領域は１／４となる。
【００２９】
これにより、前記３つの異なる前記表示領域Ａ１・Ａ２・Ａ３が、前記固定柱３ｂの周方向に、９０°の周期で繰り返されるように形成される。
【００３０】
そして、前述したように、前記光透過領域Ｗが前記可動筒３ａの周方向に９０°の間隔で設けられていることから、各光透過領域Ｗが、常に同一の表示領域Ａに重畳させられるようになっている。
【００３１】
前述した表示領域Ａにおける表示として、色や文字、あるいは、図柄等が用いられ、使用目的に応じて適宜変更することができる。
【００３２】
さらに、本実施形態においては、図２に示すように、前記固定柱３ａの上端に固定用ねじ４が突設されているとともに、前記固定柱３ａに被嵌される前記可動筒３ｂの頂部には、前記固定用ねじ４が挿通させられる貫通孔５が形成さている。
【００３３】
そして、前記固定用ねじ４は、前記固定柱３ａに前記可動筒３を被嵌させた状態において、前記貫通孔５から上方へ突出させられるようになっており、この突出部分に固定キャップ６が螺着させられるようになっている。
【００３４】
この固定キャップ６は、前記固定用ねじ４に螺着された際に、前記可動筒３の上端面に圧着させられることにより、この可動筒３ｂを前記固定柱３ａに固定するようになっている。
【００３５】
このような前記固定用ねじ４および固定キャップ６とにより、前記可動筒３ｂの固定手段が構成されている。
【００３６】
このように構成された本実施形態に係わるコーン型支柱１では、前記固定キャップ６を緩めて前記可動筒３ｂの固定を解除した状態で、前記可動筒３ｂを前記固定柱３ａに対して回動させて、この可動筒３ｂに形成されている光透過領域Ｗの一つを、前記固定柱３ａの表面に形成されている複数の表示領域Ａ１・Ａ２・Ａ３の内の何れかに重畳させる。
【００３７】
これによって、本実施形態においては、４つ設けられた光透過領域Ｗの全てが、同一の一つの前記表示領域Ａ１（Ａ２・Ａ３）へ重畳させられる。
【００３８】
これによって、前記表示領域Ａ１（Ａ２・Ａ３）の表示が、前記各光透過領域Ｗを介して多方向からの視認が可能となり、この表示を広範囲に告知することができる。
【００３９】
そして、前述したような前記複数の表示領域Ａ１・Ａ２・Ａ３の内の一つを選択した状態において、前記固定キャップ６を締め付けて前記可動筒３ｂを前記固定柱３ａに固定することにより、これらの相対回動を拘束することができる。
これにより、選択された表示を保持することができる。
【００４０】
そして、表示内容を変更する場合には、前述した操作を繰り返して、目的とする表示領域Ａを選択して前記光透過領域Ｗを重畳させることによって（図３および図４参照）、容易に表示変更を行なうことができる。
【００４１】
したがって、前記可動筒を前記固定柱に対して相対回動させるといった簡便な操作によって、コーン型支柱の表示内容切り替えることができる。
【００４２】
また、前記可動筒と前記固定柱は、一体に取り扱うことができ、したがって、その保管スペースが少なくてすむとともに、取り扱いを容易にする。
【００４３】
なお、前記実施形態において示した各構成部材の諸形状や寸法等は一例であって、設計要求等に基づき種々変更可能である。
【００４４】
たとえば、前記実施形態においては、前記光透過領域Ｗを、前記可動筒３ｂの側壁を切り欠いて開口させることによって形成した例について示したが、この開口を透明体によって塞ぐようにしてもよい。
【００４５】
また、前記可動筒３ｂを透明な材料によって形成しておき、前記光透過領域Ｗ以外の部分を遮光性材料（たとえば塗料）によって光非透過領域とすることもできる。
【００４６】
さらに、前記固定柱３ａと前記可動筒３ｂとの間に形成される固定手段の構成は任意である。
前記実施形態において示した機械的な固定手段以外に、前記固定柱３ａと前記可動筒３ｂとの摩擦を利用して固定することも考えられる。
【００４７】
そして、前記光透過領域Ｗや前記表示領域Ａの数や形状等も任意に設定することができる。
【００４８】
たとえば、形状にあっては、前述した直線状の形状に代えて、らせん形状とすることも可能である。
【符号の説明】
【００４９】
１  コーン型支柱
２  基板
３  支柱
３ａ  固定柱
３ｂ  可動筒
４  固定用ねじ
５  貫通孔（固定手段）
６  固定キャップ（固定手段）
Ａ  表示領域
Ｗ  光透過領域
【図１】
0006732192.tif 000002
【図２】
0006732192.tif 000003
【図３】
0006732192.tif 000004
【図４】
0006732192.tif 000005